(57)【特許請求の範囲】
【請求項１】
撮像手段と、
前記撮像手段により得られた画像データをカード型メモリに対して記録再生する第１の記録再生手段と、
前記画像データをディスク媒体に対して記録再生する第２の記録再生手段と、
記録開始の指示に応じて前記カード型メモリに対して前記画像データの記録を開始すると共に、前記記録開始の指示の後記録停止の指示を受けることなく所定期間が経過した場合には前記カード型メモリに対して前記記録開始の指示後に記録された画像データを再生して前記ディスク媒体に記録し、前記記録開始の指示の後前記所定期間内に記録停止の指示を受けた場合には前記カード型メモリに対して前記記録開始の指示後に記録された画像データを前記ディスク媒体に記録することなく前記カード型メモリに対する前記画像データの記録を停止するよう前記第１の記録再生手段及び前記第２の記録再生手段を制御するコントローラとを備えることを特徴とする記録再生装置。
【請求項２】
画像データを第１の記録素子に対して記録再生する第１の記録再生手段と、
画像データを第２の記録素子に対して記録再生する第２の記録再生手段と、
記録開始の指示に応じて前記第１の記録素子に対して前記画像データの記録を開始すると共に、前記記録開始の指示の後記録停止の指示を受けることなく所定期間が経過した場合には前記第１の記録素子に対して前記記録開始の指示後に記録された画像データを再生して前記第２の記録素子に記録し、前記記録開始の指示の後前記所定期間内に記録停止の指示を受けた場合には前記第１の記録素子に対して前記記録開始の指示後に記録された画像データを前記第２の記録素子に記録することなく前記第１の記録素子に対する前記画像データの記録を停止するよう前記第１の記録再生手段及び前記第２の記録再生手段を制御するコントローラとを備えることを特徴とする記録再生装置。
【請求項３】
前記所定期間は、前記第２の記録素子に記録された複数の画像データを途切れることなく再生するために必要な最小記録データ量に対応した期間であることを特徴とする請求項２記載の記録再生装置。
【請求項４】
前記コントローラは、前記記録開始の指示の後前記所定期間内に記録停止の指示を受けた場合には、前記第１の記録素子に対する前記画像データの記録停止後、前記記録開始の指示から記録停止の指示までの間に前記第１の記録素子に記録された画像データを消去するよう前記第１の記録再生手段を制御することを特徴とする請求項２記載の記録再生装置。
【請求項５】
前記コントローラは、前記記録開始の指示の後所定期間が経過した場合には、前記記録停止の指示を受けるまで前記第１の記録素子に対して前記画像データの記録を継続しながら、前記第１の記録素子から前記第２の記録素子への画像データの記録を継続するよう前記第１の記録再生手段及び前記第２の記録再生手段を制御することを特徴とする請求項２記載の記録再生装置。
【請求項６】
前記コントローラは、前記所定期間内に記録停止の指示を受けた後、更に前記第２の記録素子に対する前記第１の記録素子に記録された画像データの複写指示があった場合、前記記録開始の指示から記録停止の指示までの間に前記第１の記録素子に記録された画像データを再生して前記第２の記録素子に記録するよう前記第１の記録再生手段及び前記第２の記録再生手段を制御することを特徴とする請求項２記載の記録再生装置。
【発明の詳細な説明】
【０００１】
【発明の属する技術分野】
本発明は、記録再生装置に関し、特に、撮像された画像データのカード、ディスク等の記録素子への記録、及び記録された画像データの再生を行う記録再生装置に関する。
【０００２】
【従来の技術】
従来の撮像データ記録再生装置は、撮像した画像データを光ディスクや光磁気ディスクのような書換え可能な記録素子に記録すると共に、記録素子上に記録した画像データをその記録素子から読取って再生する。この撮像データ記録再生装置では、記録素子から画像データを読取る際における記録素子上の一の画像データから他の画像データへのアクセス速度は、ピックアップ等の慣性の大きさの故に記録素子から読取った画像データの再生速度より遅い。
【０００３】
そこで、記録素子上の一の画像データから他の画像データへのアクセス中に既に読取りが終了した一の画像データの再生を開始するシームレス再生により画像データの再生を途切れることなく行っている。
【０００４】
図５は、従来の撮像データ記録再生装置で実行されるシームレス再生の説明図である。
【０００５】
図５において、一の画像データの読取り開始時刻、終了時刻（他の画像データへのアクセス開始時刻）を夫々Ｔ１，Ｔ２、読取り速度をＶ１、記録素子に物理的に連続して書込まれている一の画像データのデータ量をＤ１、再生開始時刻Ｔ３、再生速度をＶ２、他の画像データへのアクセス終了時刻をＴ４とする。
【０００６】
画像データの再生は、記録素子から一の画像データの読取りが開始した後に開始するものであり、一の画像データから他の画像データへのアクセスは一の画像データの読み取りが終了した後に開始するものであるから、Ｔ１≦Ｔ３＜Ｔ２≦Ｔ４という条件が成立する。
【０００７】
また、一の画像データの読取りが開始してから他の画像データにアクセスするまでの間に読取られた一の画像データのデータ量Ｄ１は、上述したようにアクセス（Ｔ２〜Ｔ４）前に読み出されるものなので、（Ｔ２−Ｔ１）×Ｖ１で表される。一方、この間に再生される再生データ量は、再生がＴ３から開始するので、Ｔ３〜Ｔ４までの再生データ量（Ｔ４−Ｔ３）×Ｖ２となる。従って、一の画像データのデータ量Ｄ１は、シームレス再生可能とするためには、再生データ量（Ｔ４−Ｔ３）×Ｖ２以上でなければならない。このシームレス再生に最低限必要なデータ量は、一般的に「最小記録長」と呼ばれる。
【０００８】
従来、この最小記録長を満足しないコマ切れの画像データが記録素子内の各箇所に散らばっていることによりシームレス再生ができなくなることを防ぐ方法としては、記録開始直後にシームレス記録不可な空き領域（最小記録長未満の空き領域）を検索し、その領域を記録不可領域として設定した後に記録を行うものや（特開２０００−０２１０８７号公報）、最小記録長を満足しないコマ切れの画像データが多く存在しないように、記録トリガが所定時間以内のときは、記録素子上の決められたエリアに画像データを上書きし、記録トリガが所定時間を越えたときは、記録素子上の他のエリアに画像データを上書きするものがある（特開平０８−２４２４２３号公報）。
【０００９】
【発明が解決しようとする課題】
しかしながら、特開２０００−０２１０８７号公報の方法では、シームレス再生はできるが、記録素子の記録領域制御が複雑であるという問題があり、特開平０８−２４２４２３号公報の方法では、上書きされていない画像データのうち１つでも最小記録長より短い画像データが記録素子に残るとシームレス再生ができず、また、その短い画像データが不要のときに消去する作業が面倒であるといった問題がある。
【００１０】
本発明の目的は、シームレス再生時の記録素子の記録領域制御を簡易に行うことができる記録再生装置を提供することにある。
【００１１】
【課題を解決するための手段】
上記目的を達成するために、請求項１記載の記録再生装置は、撮像手段と、前記撮像手段により得られた画像データをカード型メモリに対して記録再生する第１の記録再生手段と、前記画像データをディスク媒体に対して記録再生する第２の記録再生手段と、記録開始の指示に応じて前記カード型メモリに対して前記画像データの記録を開始すると共に、前記記録開始の指示の後記録停止の指示を受けることなく所定期間が経過した場合には前記カード型メモリに対して前記記録開始の指示後に記録された画像データを再生して前記ディスク媒体に記録し、前記記録開始の指示の後前記所定期間内に記録停止の指示を受けた場合には前記カード型メモリに対して前記記録開始の指示後に記録された画像データを前記ディスク媒体に記録することなく前記カード型メモリに対する前記画像データの記録を停止するよう前記第１の記録再生手段及び前記第２の記録再生手段を制御するコントローラとを備えることを特徴とする。
上記目的を達成するために、請求項２記載の記録再生装置は、画像データを第１の記録素子に対して記録再生する第１の記録再生手段と、画像データを第２の記録素子に対して記録再生する第２の記録再生手段と、記録開始の指示に応じて前記第１の記録素子に対して前記画像データの記録を開始すると共に、前記記録開始の指示の後記録停止の指示を受けることなく所定期間が経過した場合には前記第１の記録素子に対して前記記録開始の指示後に記録された画像データを再生して前記第２の記録素子に記録し、前記記録開始の指示の後前記所定期間内に記録停止の指示を受けた場合には前記第１の記録素子に対して前記記録開始の指示後に記録された画像データを前記第２の記録素子に記録することなく前記第１の記録素子に対する前記画像データの記録を停止するよう前記第１の記録再生手段及び前記第２の記録再生手段を制御するコントローラとを備えることを特徴とする。
【００２３】
【発明の実施の形態】
以下、本発明の実施の形態に係る撮像データ記録再生装置を図面を用いて詳述する。
【００２４】
図１は、本発明の実施の形態に係る撮像データ記録再生装置のブロック図である。
【００２５】
図１において、撮像データ記録再生装置１００は、被写体からの光を受光するレンズ１と、レンズ１で導光された光を光電変換するＣＣＤ２と、ＣＣＤ２で光電変換された光のノイズ除去、利得調整等の処理を行う前処理回路（ＣＤＳ／ＡＧＣ）３と、前処理回路３からの信号のアナログ−ディジタル（ＡＤ）変換を行うＡＤ変換器４とを備える。レンズ１はＣＣＤ２と同軸上に設置され、また、ＣＣＤ２、前処理回路３、ＡＤ変換器４、映像信号処理回路５はこの順に直列に接続されている。
【００２６】
また、撮像データ記録再生装置１００は、映像信号処理回路５と、圧縮／伸長処理回路６と、ディスク９（第２の記録素子）が接続されたディスクインターフェイス７と、ディスク９を駆動するディスクモータ等から成るディスクドライバ８と、カード型メモリ１２（第１の記録素子）が接続されたカードインターフェイス１０と、カード型メモリ１２を駆動するカードドライバ１１と、ディスク９やカード型メモリ１２への画像記録処理等を行うマイコン１６と、これらを互いに接続するデータバス１８とを備える。映像信号処理回路５には、映像信号処理回路５からの信号のディジタル−アナログ（ＤＡ）変換を行うＤＡ変換器１３を介して、記録中の画像を表示するモニタ１４が接続されており、マイコン１６には、計時を行うタイマ１５と、押下されるとカード型メモリ１２への記録を開始し、再度押下されるとカード型メモリ１２への記録を終了するトリガスイッチ１７と、押下されると後述する微小時間画像データの編集を開始するキースイッチ１９とが直接接続されている。
【００２７】
映像信号処理回路５は、アパーチャ補正、ガンマ補正、ブランキング信号の付加、色信号の変調等の映像信号処理を行う。圧縮／伸張処理回路６は、映像信号処理回路５と、記録に必要な画像データの圧縮を行うと共に、記録時に圧縮した画像データを伸張する。
【００２８】
画像データの記録時には、ディスクインターフェイス回路７は、圧縮／伸張処理回路６で圧縮された画像データをディスク９に記録するための後述する図２の処理を行い、ディスクドライバ８は、不図示のディスクモータの制御等を行って処理された画像データをディスク９に記録する。カードインターフェイス回路１０は、圧縮／伸張処理回路６で圧縮された画像データをカード型メモリ１２に記録するための後述する図２処理を行い、カードドライバ１１は、カード型メモリ１２のアドレス制御等を行ってカード型メモリ１２に記録する。また、映像信号処理回路５は、ブランキング信号の付加、色信号の変調等を行った信号を出力し、この出力信号は、ＤＡ変換器１３でディジタル−アナログ（ＤＡ）変換を行い、モニタ１４に記録中の画像を表示する。
【００２９】
一方、ディスク９の画像データの再生時には、ディスクドライバ８はディスク９から画像データを読取り、ディスクインターフェイス回路７は、この読取った画像データを圧縮／伸張処理回路６に送信するための処理を行った後データバス１８を介して圧縮／伸張処理回路６に送信し、圧縮／伸張処理回路６は記録時に圧縮した画像データを伸張する。伸張された画像データは映像信号処理回路５に送信され、さらに、ＤＡ変換器１３でＤＡ変換を行い、モニタ１４に画像データを表示する。
【００３０】
カード型メモリ１２のデータの再生時には、カードドライバ１１はカード型メモリ１２から画像データを読取り、カードインターフェイス回路１０は、この読取った画像データを圧縮／伸張処理回路６に送るための処理をで行う。以降のモニタ１４に再生画像を表示するまでの動作は、ディスク９の画像を再生する際と同様である。
【００３１】
以下、図１の撮像データ記録再生装置１００によって実行される画像データ記録処理について説明する。
【００３２】
図２は、図１の撮像データ記録再生装置１００によって実行される画像データ記録処理のフローチャートである。
【００３３】
図２は、図１の撮像データ記録再生装置１００によって実行されるディスク９への画像データ記録処理のフローチャートである。この処理はマイコン１６によって実行される。
【００３４】
図２において、まず、画像を記録すべくトリガスイッチ１７が押されることによりトリガが入力されると（ステップＳ１でＹＥＳ）、このトリガ入力と同時に、タイマ１５は計時を開始し（ステップＳ２）、カード型メモリ１２は、映像信号処理回路５から出力された画像データをカードインターフェイス１０を介して取得して記録を開始し、このとき、カードインターフェイス１０は、カード型メモリ１２に記憶されるこの画像データのアドレスＡ１を記録する（ステップＳ３）（記録ステップ）。
【００３５】
続くステップＳ４で、タイマ１５の計時時間がｔ秒経過したが否かを判別する。この判別のしきい値である「ｔ秒」とは、撮像データ記録再生装置１００がディスク９についてのシームレス再生可能な最小記録長の画像データを再生するのに必要な時間であり、予め、撮像データ記録再生装置１００に設定してあってもよいし、また、ユーザが設定するようにしてもよい。
【００３６】
ステップＳ５の判別の結果、タイマ１５の計時時間がｔ秒経過前にトリガスイッチ１７によるトリガの入力がなされないときは（ステップＳ４でＹＥＳ）、カード型メモリ１２の記録を継続させつつ、カード型メモリ１２のアドレスＡ１に記録した画像データをカードインターフェイス１０及びディスクインターフェイス７を介してディスク９に複写する（ステップＳ５）（記録ステップ）。これにより、カード型メモリ１２への画像データの記録がすべて終了するのを待つことなくディスク９への画像データの記録を開始することができ、もってカード型メモリ１２に記録された最小記録長以上の画像データをディスク９に短時間で複写することができる。
【００３７】
その後、トリガスイッチ１７が再度押されてトリガが入力されると（ステップＳ６でＹＥＳ）、タイマ１５の計時を停止して（ステップＳ７）、映像信号処理回路５から出力された画像データのカード型メモリ１２のアドレスＡ１への記録を停止し（ステップＳ１２）、さらに、カード型メモリ１２のアドレスＡ１に記録された画像データのディスク９への複写が完了すると（ステップＳ１３でＹＥＳ）、本処理を終了する。
【００３８】
カード型メモリ１２に記録した画像データのうち、ディスク９に複写した画像データをカード型メモリ１２から削除するようにしてもよい。これにより、ディスク９に複写する前に一時的に保存されていた最小記録長以上の画像データを、ディスク９に複写した後カード型メモリ１２から消去するという編集の手間が省略できる。
【００３９】
一方、ステップＳ５の判別の結果、タイマ１５の計時時間がｔ秒経過前に（ステップＳ４でＮＯ）トリガスイッチ１７によるトリガの入力があったときは（ステップＳ１０でＹＥＳ）、カード型メモリ１２に記録された画像データのディスク９への複写を行うことなく、直ちにタイマ１５の計時を停止し（ステップＳ１１）、映像信号処理回路５から出力された画像データのカード型メモリ１２のアドレスＡ１への記録を停止し（ステップＳ１２）、さらに、カードドライバ１１により、カード型メモリ１２のアドレスＡ１に記録した画像データを消去して（ステップＳ１３）、本処理を終了する。これにより、最小記録長を満足しない不要なコマ切れの画像データをカード型メモリ１２から消去するという編集の手間が省略できる。
【００４０】
本処理によれば、最初のトリガ入力（ステップＳ１）からｔ秒経過後に（ステップＳ４でＹＥＳ）、カード型メモリ１２のアドレスＡ１に記録された撮像画像データをカード型メモリ１２のアドレスＡ１から読取ってディスク９に複写するので（ステップＳ５）、最小記録長未満の画像データのディスク９への記録を防止することができ、もってシームレス再生時の記録素子の記録領域制御を簡易に行うことができ、また、カード型メモリ１２のアドレスＡ１から画像データが読取る際に、最初のトリガ入力（ステップＳ１）から再度のトリガ入力までの時間がｔ秒未満のときに（ステップＳ１０でＹＥＳ）、シームレス再生可能な最小記録長以上の画像データのみをディスク９に複写することによりシームレス再生を確実に行うことができる。
【００４１】
また、本処理では、ｔ秒を撮像データ記録再生装置１００がディスク９についてのシームレス再生可能な最小記録長の画像データを再生するのに必要な時間に設定したが、トリガスイッチ１７の操作ミス等により誤ってカード型メモリ１２に画像データが記録された場合に、その画像データをカード型メモリ１２から消去するという編集の手間を省略するため、任意の時間に設定することも可能である。
【００４２】
さらに、本処理では、カード型メモリ１２の代わりに内蔵メモリ等を用いてもよいが、内蔵メモリは、カード型メモリに比べて処理速度、消費電力、機能拡張性等の点で落ちるという欠点がある。
【００４３】
以下、図２の画像データ記録処理の変形例を説明する。
【００４４】
図３は、図２の画像データ記録処理の変形例のフローチャートである。
【００４５】
図３の処理は、基本的に図２の処理と同じであり、同一の処理を行うにはステップには同一の番号を付し、重複した説明を省略する。
【００４６】
図２の処理では、トリガスイッチ１７が押されてカード型メモリ１２による画像の記録時間がｔ秒に達しないときはカード型メモリ１２の記録内容を消去する（ステップＳ１３）のに対して、図３の処理では、カード型メモリ１２の記録内容を消去することなく、後述する図４の微少データ編集処理を行う（ステップＳ１３’）。
【００４７】
図４は、図３のステップＳ１３’で実行される微少時間データ編集処理のフローチャートである。この処理はマイコン１６によって実行される。
【００４８】
図４において、まず、キースイッチ１９の入力により「微小時間データの編集」の指定入力があると（ステップＳ３１でＹＥＳ）、カード型メモリ１２内に最先に記録された微少時間データを読取ってモニタ１４に表示し（ステップＳ３２）、続くステップＳ３３で、モニタ１４に現在表示されている微少時間データについて、キースイッチ１９により「ディスク記録」の指定入力があったか否かを判別する。
【００４９】
ステップＳ３３の判別の結果、指定入力があったときは、その指定された微少時間データをカード型メモリ１２から読取ってディスク９に複写した後（ステップＳ３４）、指定入力がなかったときは上記複写を行うことなく、ステップＳ３５に進む。ステップＳ３３の判別により。微少時間データのうちディスク９に複写したいデータのみを確実に記録することができる。
【００５０】
続くステップＳ３５では、現在モニタ１４に表示されている微少時間データについて、キースイッチ１９により「カードのデータ消去」の指定入力があったか否か判別し、指定入力があったときは、モニタ１４に表示された微少時間データをカード型メモリ１２から消去した後（ステップＳ３６）、指定入力がなかったときは上記消去を行うことなく、ステップＳ３７に進み、キースイッチ１９により「処理続行」の指定入力がなければ、本処理を終了する。
【００５１】
ステップＳ３７の判別の結果、「処理続行」の指定入力があった場合は、ステップＳ３２以降の処理を繰り返す。これにより、微少時間データの内容をカード型メモリ１２内に記録された順に確認することができる。
【００５２】
本処理によれば、カード型メモリ１２内の微少時間データのディスク９への複写は（ステップＳ３４）、モニタ１４に表示された微少時間データについて、キースイッチ１９により「ディスク記録」の指定入力があったときに行い（ステップＳ３３でＹＥＳ）、カード型メモリ１２内の微少時間データのディスク９への消去は（ステップＳ３６）は、キースイッチ１９により「カードのデータ消去」の指定入力があったときに行うので（ステップＳ３５でＹＥＳ）、カード型メモリ１２に記録された微少時間データのディスク９へ複写及び消去を確実に行うことができる。
【００５３】
また、ステップＳ３４でディスク９に複写した微少時間データは、カード型メモリ１２から削除するようにしてもよい。これにより、ステップＳ３４でディスク９に複写した微少時間データについては、ステップＳ３５，Ｓ３６の処理を省略することができる。
【００５４】
本発明は、上述した実施の形態の機能を実現するソフトウェアのプログラム（図２及び図３のフローチャートに対応するプログラム）をコンピュータ又はＣＰＵに供給し、そのコンピュータ又はＣＰＵが該供給されたプログラムを読出して実行することによって、本発明の目的を達成することができるのは云うまでもない。
【００５５】
この場合、上記プログラムは、該プログラムを記憶した記憶媒体から直接供給されるか、又はインターネット、商用ネットワーク、若しくはローカルエリアネットワーク等に接続される不図示の他のコンピュータやデータベース等からダウンロードすることにより供給される。
【００５６】
また、上記プログラムは、上述した実施の形態の機能を実現することができればよく、そのプログラムの形態は、オブジェクトコード、インタプリタにより実行されるプログラムコード、ＯＳに供給されるスクリプトデータ等の形態から成ってもよい。
【００５７】
更にまた、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、本発明の目的を達成することができるのは云うまでもない。
【００５８】
上述した実施の形態では、プログラムを記憶する記憶媒体としては、ＲＯＭに限定する必要はなく、例えば、ＲＡＭ、ＮＶ−ＲＡＭ、フロッピー（登録商標）ディスク、ハードディスク、光ディスク（登録商標）、光磁気ディスク、ＣＤ−ＲＯＭ、ＭＯ、ＣＤ−ＲＯＭ、ＣＤ−ＲＷ、ＤＶＤ−Ｒ、ＤＶＤ−ＲＯＭ、磁気テープ、不揮発性のメモリカード、他のＲＯＭ等の上記プログラムを記憶することができるものであればよい。
【００５９】
【発明の効果】
以上詳細に説明したように、請求項１記載の記録再生装置によれば、記録開始の指示に応じてカード型メモリに対して画像データの記録を開始すると共に、記録開始の指示の後記録停止の指示を受けることなく所定期間が経過した場合にはカード型メモリに対して記録開始の指示後に記録された画像データを再生してディスク媒体に記録し、記録開始の指示の後所定期間内に記録停止の指示を受けた場合にはカード型メモリに対して記録開始の指示後に記録された画像データをディスク媒体に記録することなくカード型メモリに対する画像データの記録を停止するよう第１の記録再生手段及び第２の記録再生手段を制御するので、所定の記録長未満の画像データの第２の記録再生手段への記録を防止することができ、もってシームレス再生時の記録素子の記録領域制御を簡易に行うことができる。
請求項２記載の記録再生装置によれば、記録開始の指示に応じて第１の記録素子に対して画像データの記録を開始すると共に、記録開始の指示の後記録停止の指示を受けることなく所定期間が経過した場合には第１の記録素子に対して記録開始の指示後に記録された画像データを再生して第２の記録素子に記録し、記録開始の指示の後所定期間内に記録停止の指示を受けた場合には第１の記録素子に対して記録開始の指示後に記録された画像データを第２の記録素子に記録することなく第１の記録素子に対する画像データの記録を停止するよう第１の記録再生手段及び第２の記録再生手段を制御するので、所定の記録長未満の画像データの第２の記録素子への記録を防止することができ、もってシームレス再生時の記録素子の記録領域制御を簡易に行うことができる。
【００６０】
請求項３記載の記録再生装置によれば、所定期間は、第２の記録素子に記録された複数の画像データを途切れることなく再生するために必要な最小記録データ量に対応した期間であるので、シームレス再生可能な最小記録長以上の画像データのみを第２の記録素子に複写することによりシームレス再生を確実に行うことができる。
【００６１】
請求項４記載の記録再生装置によれば、記録開始の指示の後所定期間内に記録停止の指示を受けた場合には、第１の記録素子に対する画像データの記録停止後、記録開始の指示から記録停止の指示までの間に第１の記録素子に記録された画像データを消去するよう第１の記録再生手段を制御するので、最小記録長を満足しない不要なコマ切れの画像データを第１の記録素子から消去するという編集の手間が省ける。
【図面の簡単な説明】
【図１】本発明の実施の形態に係る撮像データ記録再生装置のブロック図である。
【図２】図１の撮像データ記録再生装置１００によって実行される画像データ記録処理のフローチャートである。
【図３】図２の画像データ記録処理の変形例のフローチャートである。
【図４】図３のステップＳ１３’で実行される微少時間データ編集処理のフローチャートである。
【図５】従来の撮像データ記録再生装置で実行されるシームレス再生の説明図である。
【符号の説明】
１  レンズ
２  ＣＣＤ
３  前処理回路（ＣＤＳ／ＡＧＳ）
４  ＡＤ変換器
５  映像信号処理回路
６  圧縮／伸張処理回路
７  ディスクインターフェイス回路
８  ディスクドライバ
９  ディスク
１０  カードインターフェイス回路
１１  カードドライバ
１２  カード型メモリ
１３  ＤＡ変換器
１４  モニタ
１５  タイマ
１６  マイコン
１７  トリガスイッチ
１８  データバス
１９  キースイッチ
１００  撮像データ記録再生装置
【図１】
0003977137.tif 000002
【図２】
0003977137.tif 000003
【図３】
0003977137.tif 000004
【図４】
0003977137.tif 000005
【図５】
0003977137.tif 000006